(57)【要約】【解決手段】医療用刃物を片手で握って使用する場合、ハンドル１を左右両側から挟んで持った手指をカバー操作部４３ａに当てがうとともに、カバー４２の各貫通孔５０，５１，５４から突出するハンドル１の各摘み部２５，２６，２７，２８，２９にも当てがうことができる。ハンドル１の各摘み部２５，２６，２７，２８，２９はカバー４２を移動させても移動しない。【効果】ハンドル１を持った手指が安定してカバー４２の移動操作を行い易くすることができる。【選択図】図５
2018143321.tif 000002
【特許請求の範囲】
【請求項１】
ハンドルとそのハンドルの頭部に取り付けた刃体を保護し得るカバーとを備えた医療用刃物において、このカバーは、ハンドルの外側に被せられてハンドルに対しハンドルの長手方向に沿う前後方向へ移動可能に支持され、刃体を保護し得る刃体不使用位置と、刃体をカバーから露出し得る刃体使用可能位置とを取り、前後方向に対し直交する左右方向の両側の側部を有し、このカバーの左右両側部にはハンドルの左右両側に設けた摘み部がカバーの外側へ突出する貫通孔を設けたことを特徴とするカバー付き医療用刃物。
【請求項２】
前記ハンドルの左右両側の摘み部と前記カバーの左右両側部の貫通孔とは、前後方向へ延設されていることを特徴とする請求項１に記載のカバー付き医療用刃物。
【請求項３】
前記ハンドルの左右両側の摘み部と前記カバーの左右両側部の貫通孔とは、ハンドルに対しカバーを前後方向へ案内する案内部として兼用されていることを特徴とする請求項２に記載のカバー付き医療用刃物。
【請求項４】
前記ハンドルの左右両側の摘み部と前記カバーの左右両側部の貫通孔とは、それぞれ、複数設けられて前後方向及び左右方向に直交する上下方向へ並設されていることを特徴とする請求項１〜３のうちいずれか一つの請求項に記載のカバー付き医療用刃物。
【請求項５】
前記カバーにおいて、前後方向及び左右方向に直交する上下方向の両側のうち、下側には前記刃体不使用位置で刃体の刃縁に面する下部を有し、このカバーの下部にはハンドルの下側に設けた摘み部がカバーの外側へ突出する貫通孔を設けたことを特徴とする請求項１〜４のうちいずれか一つの請求項に記載のカバー付き医療用刃物。
【請求項６】
前記カバーにおいて、前後方向及び左右方向に直交する上下方向の両側のうち、上側には前記刃体不使用位置で刃体の刃縁に対し対辺側になる背縁に面する上部を有し、前記ハンドルの左右両側の摘み部はこのカバーの上部に対しその上方で面する指当部を有していることを特徴とする請求項１〜５のうちいずれか一つの請求項に記載のカバー付き医療用刃物。
【発明の詳細な説明】
【技術分野】
【０００１】
本発明は刃体を保護し得るカバーを備えた手術用メスなどの医療用刃物に関するものである。
【背景技術】
【０００２】
従来、下記の特許文献１などにより開示された手術用メスなどの医療用刃物は、把持部の前端部からカバー支持部を延設したハンドルと、このカバー支持部の前端部に取り付けた刃体を収容し得るカバーとを備えている。このカバーは、カバー支持部の外側に被せられ、カバー支持部に対しカバー操作部により前後方向へ移動可能に支持され、カバー支持部の前端部から前方へ突出して刃体を収容し得る刃体不使用位置と、カバー支持部の前端部から後方へ退避する刃体使用可能位置とを取る。その刃体使用可能位置では、カバー支持部の前端部の刃体がカバーから前方へ突出して露出する。
【先行技術文献】
【特許文献】
【０００３】
【特許文献１】特許第４２３０７７５号公報
【発明の概要】
【発明が解決しようとする課題】
【０００４】
従来の手術用メスなどの医療用刃物を両手で握って使用する場合には、通常、一方の手指でハンドルの把持部を持つとともに、他方の手指をカバー操作部に当てがって、カバーを前記刃体不使用位置と刃体使用可能位置とに移動させることができる。また、医療用刃物を片手で握って使用する場合には、ハンドルの把持部を持った手指をカバー操作部に当てがって、カバーを前記刃体不使用位置と刃体使用可能位置とに移動させることができる。片手で使用する場合、カバーを前方へ移動させた刃体不使用位置では、把持部を持った手指がカバー操作部から離れ易いために不安定となり、把持部を持った手指をカバーの移動に伴いカバー支持部側に伸ばしてカバー操作部に当てがい易くする必要がある。また、ハンドルのカバー支持部とカバーとの間に緩みがあると、執刀時等にカバーを手指で掴んで使用する場合、その緩みによる悪影響を受けて使い勝手が悪くなるおそれがあった。
【０００５】
この発明は、手術用メスなどのカバー付き医療用刃物を特に片手で握って使用する場合にカバーの移動操作を行い易くするとともに執刀時等の使い勝手を良くすることを目的としている。
【課題を解決するための手段】
【０００６】
後記実施形態の図面（図１〜９）の符号を援用して本発明を説明する。
請求項１の発明にかかるカバー付き医療用刃物は、ハンドル（１）とそのハンドル（１）の頭部に取り付けた刃体（１７）を保護し得るカバー（４２）とを備えている。このカバー（４２）は、ハンドル（１）の外側に被せられてハンドル（１）に対しハンドル（１）の長手方向に沿う前後方向（Ｘ）へ移動可能に支持され、刃体（１７）を保護し得る刃体不使用位置（Ｐ）と、刃体（１７）をカバー（４２）から露出し得る刃体使用可能位置（Ｑ）とを取り、前後方向（Ｘ）に対し直交する左右方向（Ｙ）の両側の側部（４５，４６）を有している。このカバー（４２）の左右両側部（４５，４６）にはハンドル（１）の左右両側に設けた摘み部（２５，２６，２７，２９）がカバー（１）の外側へ突出する貫通孔（５０，５１）を設けている。
【０００７】
請求項１の発明では、例えば、医療用刃物を片手で握って使用する場合、ハンドル（１）を左右両側から挟んで持った手指を、カバー（４２）に当てがうとともに、カバー（４２）の左右両貫通孔（５０，５１）から突出するハンドル（１）の左右両摘み部（２５，２６，２７，２９）にも当てがうことができる。そのため、ハンドル（１）を持った手指で左右両摘み部（２５，２６，２７，２９）を持ったままカバー（４２）を操作することができる。従って、カバー（４２）を移動させてもハンドル（１）の左右両摘み部（２５，２６，２７，２９）は移動せず、ハンドル（１）を持った手指が安定して、カバー（４２）の移動操作を行い易くすることができる。また、ハンドル（１）とカバー（４２）との間に緩みがある場合でも、ハンドルに対し緩みのあるカバーを掴んで執刀する従来の場合と比較して、ハンドル（１）の左右両摘み部（２５，２６，２７，２９）をしっかりと掴んで使用することができるため、その緩みによる悪影響を受けにくくなって執刀時等の使い勝手を良くすることができる。
【０００８】
請求項１の発明を前提とする請求項２の発明において、前記ハンドル（１）の左右両側の摘み部（２５，２６，２７，２９）と前記カバー（４２）の左右両側部（４５，４６）の貫通孔（５０，５１）とは、前後方向（Ｘ）へ延設されている。請求項２の発明では、カバー（４２）を前後方向（Ｘ）へ移動させる際に、左右両摘み部（２５，２６，２７，２９）を持つ位置を使用者の手指の大きさや長さの相違に応じて前後方向（Ｘ）で変えることができるため、カバー（４２）の移動操作を行い易くすることができる。
【０００９】
請求項２の発明を前提とする請求項３の発明において、前記ハンドル（１）の左右両側の摘み部（２５，２６，２７，２９）と前記カバー（４２）の左右両側部（４５，４６）の貫通孔（５０，５１）とは、ハンドル（１）に対しカバー（４２）を前後方向（Ｘ）へ案内する案内部として兼用されている。請求項３の発明では、カバー（４２）の移動操作を行い易くするために設けた左右両貫通孔（５０，５１）及び左右両摘み部（２５，２６，２７，２９）をカバー（４２）の案内機能として兼用することができる。従って、ハンドル（１）及びカバー（４２）の構造を簡単にすることができる。
【００１０】
請求項１〜３のうちいずれか一つの請求項の発明を前提とする請求項４の発明において、前記ハンドル（１）の左右両側の摘み部（２５，２６，２７，２９）と前記カバー（４２）の左右両側部（４５，４６）の貫通孔（５０，５１）とは、それぞれ、複数例えば一対設けられて前後方向（Ｘ）及び左右方向（Ｙ）に直交する上下方向（Ｚ）へ並設されている。請求項４の発明では、ハンドル（１）を左右両側から挟んで持った手指をハンドル（１）の左右両摘み部（２５，２６，２７，２９）に当てがい易い。その左右両摘み部（２５，２６，２７，２９）は上下方向（Ｚ）へ複数並設されているので、左右両摘み部（２５，２６，２７，２９）に当てがった手指はカバー（４２）に接触しにくくなって、カバー（４２）の移動操作を行い易くすることができる。
【００１１】
請求項１〜４のうちいずれか一つの請求項の発明を前提とする請求項５の発明にかかるカバー（４２）において、前後方向（Ｘ）及び左右方向（Ｙ）に直交する上下方向（Ｚ）の両側のうち、下側には前記刃体不使用位置（Ｐ）で刃体（１７）の刃縁（１８）に面する下部（４４）を有し、このカバー（４２）の下部（４４）にはハンドル（１）の下側に設けた摘み部（２８）がカバー（４２）の外側へ突出する貫通孔（５４）を設けている。請求項５の発明では、ハンドル（１）を左右両側から挟んで持った手指をハンドル（１）の左右両摘み部（２５，２６，２７，２９）ばかりでなくハンドル（１）の下側摘み部（２８）にも当てがうことができる。従って、ハンドル（１）を持った手指がより一層安定してカバー（４２）の移動操作を行い易くするとともに執刀時等の使い勝手を良くすることができる。
【００１２】
請求項１〜５のうちいずれか一つの請求項の発明を前提とする請求項６の発明にかかるカバー（４２）において、前後方向（Ｘ）及び左右方向（Ｙ）に直交する上下方向（Ｚ）の両側のうち、上側には前記刃体不使用位置（Ｐ）で刃体（１７）の刃縁（１８）に対し対辺側になる背縁（１９）に面する上部（４３）を有し、前記ハンドル（１）の左右両側の摘み部（２５，２７）はこのカバー（４２）の上部(４３)に対しその上方で面する指当部（２５ｂ，２７ｂ）を有している。請求項６の発明では、ハンドル（１）を左右両側から挟んで持った手指をハンドル（１）の左右両摘み部（２５，２６，２７，２９）ばかりでなく、カバー（４２）の上部(４３)に面する指当部（２５ｂ，２７ｂ）にも当てがうことができる。従って、ハンドル（１）を持った手指がより一層安定してカバー（４２）の移動操作を行い易くするとともに執刀時等の使い勝手を良くすることができる。
【００１３】
次に、請求項以外の技術的思想について実施形態の図面の符号を援用して説明する。
請求項１〜６のうちいずれか一つの請求項の発明を前提とする第７の発明にかかるカバー（４２）において、前後方向（Ｘ）及び左右方向（Ｙ）に直交する上下方向（Ｚ）の両側のうち、上側には前記刃体不使用位置（Ｐ）で刃体（１７）の刃縁（１８）に対し対辺側になる背縁（１９）に面する上部（４３）を有し、このカバー（４２）の上部（４３）にはハンドル（１）に対しカバー（４２）を移動させることができる操作部（４３ａ）を設けている。第７の発明では、カバー（４２）の上部（４３）に設けた操作部（４３ａ）によりカバー（４２）の移動操作を行い易くすることができる。
【００１４】
請求項１〜６のうちいずれか一つの請求項の発明、または第７の発明を前提とする第８の発明において、前記ハンドル（１）は、前記頭部を有するカバー支持部（６）と、そのカバー支持部（６）に対し長手方向（Ｘ）で連続する把持部（７）とを備え、前記カバー（４２）は刃体使用可能位置（Ｑ）でこのカバー支持部（６）の外側に被せられ、前記摘み部（２５，２６，２７，２９）はこのカバー支持部（６）の左右両側に設けられている。第８の発明では、把持部（７）を持った手指でカバー支持部（６）の左右両摘み部（２５，２６，２７，２９）を持ったままカバー（４２）を操作することができるので、ハンドル（１）の把持部（７）を持った手指が安定して、カバー（４２）の移動操作を行い易くすることができる。また、ハンドル（１）のカバー支持部（６）とカバー（４２）との間の緩みによる悪影響を受けにくくなって執刀時等の使い勝手を良くすることができる。
【００１５】
請求項６の発明を前提とする第９の発明にかかるカバー（４２）において、前後方向（Ｘ）の両側のうち、前側の端部と後側の端部とに開口部（４８，４９）を設け、上部（４３）には後端開口部（４９）で左右両側部（４５，４６）を区分する切込部（５６）を設けている。第９の発明では、切込部（５６）により左右両側部（４５，４６）を左右方向（Ｙ）へ広げることができるので、カバー（４２）をハンドル（１）の外側に被せ易い。
【００１６】
第９の発明を前提とする第１０の発明にかかるカバー（４２）において、下部（４４）の貫通孔（５４）及び上部（４３）の切込部（５６）で、左右両側部（４５，４６）の後端部の間隔が弾性力に抗して左右方向（Ｙ）へ広がり得るように左右両側部（４５，４６）の後端部は可撓性を有している。第１０の発明では、カバー（４２）を左右両側部（４５，４６）の後端部間からハンドル（１）の外側に被せ易い。
【００１７】
第１０の発明を前提とする第１１の発明にかかるカバー（４２）において、下部（４４）の貫通孔（５４）及び上部（４３）の切込部（５６）で、左右両側部（４５，４６）の後端部が互いに離間されている。第１１の発明では、カバー（４２）を左右両側部（４５，４６）の後端部間からハンドル（１）の外側に被せ易い。
【００１８】
請求項６の発明、または第９〜１１の発明のうちいずれか一つの発明を前提とする第１２の発明において、前記カバー（４２）の上部（４３）は、前後方向（Ｘ）の両側で支持されて上下方向（Ｚ）の弾性を有する両持ち梁（４３）を有し、前記操作部（４３ａ）はこの両持ち梁（４３）に設けられている。第１２の発明では、両持ち梁（４３）の弾性を利用して操作部（４３ａ）によりカバー（４２）を刃体不使用位置（Ｐ）と刃体使用可能位置（Ｑ）とに移動させることができる。
【００１９】
請求項６の発明、または第９〜１２の発明のうちいずれか一つの発明を前提とする第１３の発明において、前記カバー（４２）の左右両側部（４５，４６）のうち少なくとも一方の側部（４６）は、前後方向（Ｘ）の両側で支持されて弾性を有する両持ち梁（５２）を有し、この両持ち梁（５２）にクリック部（５３）を設け、このカバー（４２）のクリック部（５３）はハンドル（１）に設けたクリック部（３２，３３）に対しハンドル（１）に対するカバー（４２）の移動に伴い係脱される。例えば、ハンドル（１）のクリック部（３２，３３）は前後両側に設けられている。第１３の発明では、ハンドル（１）とカバー（４２）との間のクリック部（３２，３３，５３）により、弾性による係脱抵抗を感じてカバー（４２）を移動操作させることができる。
【００２０】
請求項１〜６のうちいずれか一つの請求項の発明、または第７〜１３の発明のうちいずれか一つの発明を前提とする第１４の発明において、前記カバー（４２）の左右両側部（４５，４６）は左右方向（Ｙ）の厚みが薄い板状に形成されている。第１４の発明では、カバー（４２）の左右方向（Ｙ）の幅を小さくすることができる。
【発明の効果】
【００２１】
本発明は、手術用メスなどのカバー付き医療用刃物を特に片手で握って使用する場合にカバー（４２）の移動操作を行い易くするとともに使い勝手を良くすることができる。
【図面の簡単な説明】
【００２２】
【図１】（ａ）は医療用刃物のハンドルの開状態において刃体を取り付けた状態の正面側を斜め上方から見た斜視図であり、（ｂ）は同じく背面側を斜め下方から見た斜視図である。
【図２】（ａ）は医療用刃物のハンドルの閉状態において刃体を取り付けた状態の正面側を斜め上方から見た斜視図であり、（ｂ）は同じく背面側を斜め下方から見た斜視図である。
【図３】図２のハンドルを平面側から見た部分断面図である。
【図４】（ａ）は医療用刃物のカバーの正面側を斜め上方から見た斜視図であり、（ｂ）は同じく背面側を斜め下方から見た斜視図である。
【図５】（ａ）は刃体不使用位置にある医療用刃物の正面側を斜め上方から見た斜視図であり、（ｂ）は同じく背面側を斜め下方から見た斜視図である。
【図６】（ａ）は刃体不使用位置にある医療用刃物を示す背面図であり、（ｂ）は（ａ）のＡ１−Ａ１線断面図であり、（ｃ）は（ａ）のＡ２−Ａ２線断面図であり、（ｄ）は（ａ）のＡ３−Ａ３線断面図であり、（ｅ）は（ａ）のＡ４−Ａ４線断面図である。
【図７】（ａ）は刃体使用可能位置にある医療用刃物の正面側を斜め上方から見た斜視図であり、（ｂ）は同じく背面側を斜め下方から見た斜視図である。
【図８】（ａ）は刃体使用可能位置にある医療用刃物を示す背面図であり、（ｂ）は（ａ）のＢ１−Ｂ１線断面図であり、（ｃ）は（ａ）のＢ２−Ｂ２線断面図であり、（ｄ）は（ａ）のＢ３−Ｂ３線断面図であり、（ｅ）は（ａ）のＢ４−Ｂ４線断面図である。
【図９】（ａ）は刃体不使用位置にある医療用刃物においてロック回避位置を示す部分正面図であり、（ｂ）は同じくロック位置を示す部分正面図であり、（ｃ）は刃体使用可能位置にある医療用刃物においてロック回避位置を正面側から見た部分断面図である。
【発明を実施するための形態】
【００２３】
以下、本発明の一実施形態にかかる医療用刃物について図面を参照して説明する。
図１に示すように、開状態のハンドル１は、プラスチックにより一体成形され、互いに連結された後端部１ａから前端部まで延設された二股状の左腕２及び右腕３を上下両側に備えている。左腕２の前端部から少し後方で内側に突条４が形成されているとともに、右腕３の前端部から少し後方で内側に長孔５が形成され、図２及び図６（ｅ）に示すように左腕２の内側と右腕３の内側とが互いに重ねられた閉状態でその突条４が長孔５に挿嵌されてそれらの内側が互いに離脱不能に取着された一本のハンドル１となっている。図２に示す閉状態のハンドル１は、前端部である頭部を有するカバー支持部６と、そのカバー支持部６の後端部に対し前後方向に沿う長手方向Ｘで連続する把持部７とを備えている。把持部７は上枠部８と下枠部９との間に透孔１０を有している。カバー支持部６は把持部７の前端部から前方へ頭部まで延設されて左側板部１１と右側板部１２とがそれらの内側で互いに重ねられている。把持部７の下枠部９の右側には目盛９ａが長手方向Ｘへ付されている。
【００２４】
カバー支持部６において、前端部から少し後方で、左側板部１１の内側に刃体重合部１３が形成されてその刃体重合部１３に止め部１４が形成されているとともに、右側板部１２の内側に刃体重合部１５が形成されてその刃体重合部１５に止め孔１６が突設されている。薄板状の刃体１７において、下側には刃縁１８が形成され、上側には刃縁１８の対辺側になる背縁１９が形成され、図６（ｂ）（ｃ）に示すように厚み方向である左右方向Ｙの両側の側面２０間に貫通された止め孔２１が形成されている。図３に示すように、刃体１７の後部側が左右の刃体重合部１３，１５間に嵌め込まれて刃体１７の前部側がカバー支持部６の前端部から前方へ突出した状態で、左側板部１１の止め部１４が刃体１７の止め孔２１及び右側板部１２の止め孔１６に挿嵌されている。右側の刃体重合部１５の後端部には僅かに傾斜する凹部２２が形成されているとともに、左側の刃体重合部１３の後端部には僅かに傾斜する凸部２３が形成され、左右の刃体重合部１３，１５間に嵌め込まれた刃体１７の後端部が凸部２３により凹部２２側に押圧されて若干反る。そのため、左右の刃体重合部１３，１５に間に挟持された刃体１７の緩みを抑制することができる。左側の刃体重合部１３の後端部には視認孔２４が形成され、左右の刃体重合部１３，１５間に嵌め込まれた刃体１７の後端部に付された品番をその視認孔２４から見て刃体１７の種類を識別することもできる。
【００２５】
カバー支持部６の前端部と後端部との間において、左側板部１１の外側には前後方向Ｘへ一連に延設された上側摘み部２５（指当部）と中間摘み部２６（指当部）とが上下方向Ｚで互いに間隔をあけて並設され、右側板部１２の外側には前後方向Ｘへ一連に延設された上側摘み部２７（指当部）と下側摘み部２８（指当部）とそれらの間の中間摘み部２９（指当部）とが上下方向Ｚで互いに間隔をあけて並設されている。図６及び図８に示すように、左側板部１１の上側摘み部２５及び右側板部１２の上側摘み部２７においては、左右両側板部１１，１２に沿って上下方向Ｚへ延びる指当部２５ａ，２７ａが形成されているとともに、指当部２５ａ，２７ａの上端部から略円弧状の境界部を介して滑らかに連続する指当部２５ｂ，２７ｂが形成されている。左右両指当部２５ｂ，２７ｂは、左右方向Ｙへ延びて互いに間隔をあけて相対向し、それらの指当部２５ｂ，２７ｂの内側には前後方向Ｘの両側で係止凹部３０，３１が相対向して形成されている。右側板部１２の上側摘み部２７の外側で前後方向Ｘの両側にはクリック凹部３２，３３が形成されている。左側板部１１及び右側板部１２の後端部の外側で把持部７の上枠部８との境界部には押圧凸部３４が形成されている。
【００２６】
左側板部１１上の後端部から少し前方に形成された凹所３５にはロック回避位置Ｅにあるロック操作部３６が形成されている。ロック操作部３６は、カバー支持部６で前後方向Ｘへ撓み得るように片持ち梁状に立設された可撓柱３７と、図６（ａ）に示すように可撓柱３７の先端部３７ａで前後方向Ｘへ延設された指当部３８とを有している。可撓柱３７の先端部３７ａは指当部３８の前端部と後端部との間に設けられている。可撓柱３７はその基端部３７ｂから先端部３７ａに向かうに従い指当部３８の前端部側に傾斜している。指当部３８の前端部には当接部３９が設けられている。指当部３８の後端部には保持部４０が設けられている。可撓柱３７の先端部３７ａと指当部３８の後端部との間の距離は、可撓柱３７の先端部３７ａと指当部３８の前端部との間の距離より大きく設定されている。凹所３５には保持部４０の後方で隣接して段差状の保持部４１が形成されている。
【００２７】
図４に示すカバー４２は、プラスチックにより一体成形され、上板部４３と下板部４４と左右両側板部４５，４６とを有し、上板部４３と下板部４４と左右両側板部４５，４６とで囲まれた収容室４７が前端部及び後端部の開口部４８，４９で開放されている。左右両側板部４５，４６には収容室４７に連通する貫通孔５０，５１が前端部と後端部との間で前後方向Ｘへ一連に延設されて上下方向Ｚの両側で並設されているとともに、上側貫通孔５０と中間貫通孔５１との間に区画板部５２が形成されている。右側板部４６において上側貫通孔５０と中間貫通孔５１との間の区画板部５２（両持ち梁）には前後方向Ｘの中央部で上側貫通孔５０側に突出するクリック凸部５３が形成されている。下板部４４には収容室４７に連通する貫通孔５４が前端部と後端部との間で前後方向Ｘへ延設されて後端部の開口部４９に開放されている。上板部４３（両持ち梁）には前後方向Ｘの中央部でカバー操作部４３ａが上方へ突設され、カバー操作部４３ａの少し前方で左右両側に係止凸部５５が形成されている。上板部４３にはその後端部とカバー操作部４３ａとの間で左右両側板部４５，４６を区分する切込部５６が前後方向Ｘへ延設されて後端部の開口部４９に開放されている。左右両側板部４５，４６の後端部は、互いに離間され、その後端部の間隔がその後端部の弾性力に抗して左右方向Ｙへ広がり得るように可撓性を有している。カバー４２の後端部で開口部４９の端縁には当接部５７が設けられている。
【００２８】
図５に示すように、カバー４２は、左右両側板部４５，４６の後端部を上板部４３の切込部５６及び下板部４４の貫通孔５４とともに互いに広げた状態で、刃体１７及びカバー支持部６の外側に後端部の開口部４９から前後方向Ｘへ移動可能に被せられる。カバー４２の左側板部４５において、カバー支持部６の上側摘み部２５が上側貫通孔５０に挿嵌されて外側へ突出するとともに、カバー支持部６の中間摘み部２６が中間貫通孔５１に挿嵌されて外側へ突出している。カバー４２の右側板部４６において、カバー支持部６の上側摘み部２７が上側貫通孔５０に挿嵌されて外側へ突出するとともに、カバー支持部６の中間摘み部２９が中間貫通孔５１に挿嵌されて外側へ突出し、カバー支持部６の下側摘み部２８が下側貫通孔５４に挿嵌されて外側へ突出している。上側摘み部２５の指当部２５ｂと上側摘み部２７の指当部２７ｂとは、カバー４２の上板部４３より若干上方へ左右方向Ｙで相対向して突出している。上側摘み部２５と上側貫通孔５０、上側摘み部２７と上側貫通孔５０、中間摘み部２６と中間貫通孔５１、中間摘み部２９と中間貫通孔５１及び下側摘み部２８と下側貫通孔５４とは、それぞれ、ハンドル１に対しカバー４２を前後方向Ｘへ案内する案内部として兼用されている。カバー操作部４３ａはカバー支持部６の左右両側の上側摘み部２５，２７の指当部２５ｂ，２７ｂ間で上方へ突出している。
【００２９】
図５及び図６に示すように、カバー４２の刃体不使用位置Ｐでは、カバー４２の左右両係止凸部５５が左右両側の上側摘み部２５，２７の前側係止凹部３０に係入されるとともに、カバー４２のクリック凸部５３が上側摘み部２７の前側クリック凹部３２に係入されて、カバー４２が刃体不使用位置Ｐで保持される。刃体１７はカバー４２の左右両側板部４５，４６間の収容室４７に収容され、左右両側板部４５，４６が刃体１７の左右両側面２０に面し、下板部４４が刃体１７の刃縁１８に面し、上板部４３が刃体１７の刃縁１８に対し対辺側になる背縁１９に面する。
【００３０】
図５及び図６に示す刃体不使用位置Ｐからカバー操作部４３ａを下方へ押した後に後方へ移動させると、上板部４３がその弾性力に抗して撓んで、左右両係止凸部５５が前側係止凹部３０から離脱されるとともに、クリック凸部５３が前側クリック凹部３２から離脱され、左右両係止凸部５５が上側摘み部２５，２７の指当部２５ｂ，２７ｂの内側を通って後方へ移動する。その後、図７及び図８に示すように、上板部４３がその弾性により復帰して、左右両係止凸部５５が後側係止凹部３１に係入されるとともに、クリック凸部５３が後側クリック凹部３３に係入され、カバー４２が刃体使用可能位置Ｑで保持される。カバー支持部６の前端部の刃体１７はカバー４２の前端部の開口部４８から前方へ突出して露出する。カバー４２の後端部の開口部４９はハンドル１の把持部７の前端部に面する。その際、左右両側板部１１，１２の後端部の押圧凸部３４がカバー４２の左右両側板部４５，４６の後端部内側に圧接される。
【００３１】
図７及び図８に示す刃体使用可能位置Ｑからカバー操作部４３ａを下方へ押した後に前方へ移動させると、上板部４３がその弾性力に抗して撓んで、左右両係止凸部５５が後側係止凹部３１から離脱されるとともに、クリック凸部５３が後側クリック凹部３３から離脱され、左右両係止凸部５５が上側摘み部２５，２７の指当部２５ｂ，２７ｂの内側を通って前方へ移動する。その後、図５及び図６に示すように、上板部４３がその弾性により復帰して、左右両係止凸部５５が前側係止凹部３０に係入されるとともに、クリック凸部５３が前側クリック凹部３２に係入され、カバー４２が刃体不使用位置Ｐで保持される。カバー支持部６の前端部の刃体１７はカバー４２の前端部の開口部４８から収容される。
【００３２】
カバー４２の刃体不使用位置Ｐでロック回避位置Ｅにあるロック操作部３６において、図９（ａ）に示すように指当部３８の後端部側を可撓柱３７の弾性力に抗して下方へ押すと、図９（ｂ）に示すように、可撓柱３７が撓んで、指当部３８がその後端部から前端部に向かうに従い上方へ傾斜する。そのため、カバー４２の当接部５７が指当部３８の当接部３９に当接可能になる。従って、カバー４２の刃体不使用位置Ｐから刃体使用可能位置Ｑへの移動が当接部５７と当接部３９との当接により阻止されるとともに、指当部３８の保持部４０が凹所３５の保持部４１に保持され、ロック操作部３６のロック位置Ｆからロック回避位置Ｅへの復帰が阻止されてロック位置Ｆを維持することができる。また、刃体不使用位置Ｐでロック操作部３６の操作は可能であるが、図９（ｃ）に示す刃体使用可能位置Ｑや、刃体不使用位置Ｐと刃体使用可能位置Ｑとの中間位置においては、カバー４２がロック操作部３６の全部または一部を覆うため、ロック操作部３６の指当部３８においてロック回避位置Ｅからロック位置Ｆへの不用意な移動操作をカバー４２により阻止することができる。
【００３３】
次に、医療用刃物の使用例について述べる。
医療用刃物をカバー４２の刃体不使用位置Ｐで保管することができる。カバー４２を刃体不使用位置Ｐから刃体使用可能位置Ｑに移動させると、刃体１７がカバー４２から突出するため、医療用刃物を使用することができる。カバー４２を刃体不使用位置Ｐと刃体使用可能位置Ｑとの間で移動させることができるため、医療用刃物を再利用することができるが、カバー４２をロック操作部３６により刃体不使用位置Ｐで保持すると、カバー４２の移動が永続的に阻止されて医療用刃物を再利用することができない。再利用できない状態で廃棄することが好ましい。また、ハンドル１に対し刃体１７が交換不能に取り付けられている場合には一回の使用で廃棄することが好ましい。このように医療用刃物を使用する場合には、カバー４２の各貫通孔５０，５１，５４から突出する各摘み部２５，２６，２７，２８，２９を把持することができる。なお、カバー４２の各貫通孔５０，５１，５４は蒸気滅菌に利用することもできる。
【００３４】
本実施形態は下記の効果を有する。
（１）  医療用刃物を片手で握って使用する場合、ハンドル１を左右両側から挟んで持った手指をカバー操作部４３ａに当てがうとともに、カバー４２の左右両貫通孔５０，５１から突出するハンドル１の左右両摘み部２５，２６，２７，２９にも当てがうことができる。ハンドル１の左右両摘み部２５，２６，２７，２９はカバー４２を移動させても移動しないので、ハンドル１を持った手指が安定してカバー４２の移動操作を行い易くすることができる。ハンドル１の左右両摘み部２５，２６，２７，２９はカバー４２の左右両貫通孔５０，５１から突出しているため、手指を左右両摘み部２５，２６，２７，２９に当てがっても、カバー４２の左右両側板部４５，４６を押え付けることを防止してカバー４２の移動操作を行い易くすることができる。また、ハンドル１とカバー４２との間に緩みがある場合でも、ハンドルに対し緩みのあるカバーを掴んで執刀する従来の場合と比較して、ハンドル１の左右両摘み部２５，２６，２７，２９をしっかりと掴んで使用することができるため、その緩みによる悪影響を受けにくくなって執刀時等の使い勝手を良くすることができる。
【００３５】
（２）  その場合、左右両側の摘み部２５，２６，２７，２９と貫通孔５０，５１とは、前後方向Ｘへ延設されているとともに、一対設けられて上下方向Ｚへ並設されている。ハンドル１を左右両側から挟んで持った手指を左右両摘み部２５，２６，２７，２９に当てがってカバー４２を前後方向Ｘへ移動させる際に、左右両摘み部２５，２６，２７，２９を持つ位置を使用者の手指の大きさや長さの相違に応じてハンドル１の前後方向Ｘ及び上下方向Ｚで変えることができるため、カバー４２の移動操作を行い易くすることができる。
【００３６】
（３）  カバー４２の下板部４４にもハンドル１の下側の摘み部２８が突出する貫通孔５４を設けたので、ハンドル１を左右両側から挟んで持った手指を左右両摘み部２５，２６，２７，２９ばかりでなく下側摘み部２８にも当てがうことができる。従って、ハンドル１を持った手指がより一層安定してカバー４２の移動操作を行い易くすることができる。
【００３７】
（４）  ハンドル１の左右両側の摘み部２５，２７はカバー４２の上板部４３に面する指当部２５ｂ，２７ｂを有しているので、ハンドル１を左右両側から挟んで持った手指をハンドル１の左右両摘み部２５，２６，２７，２９ばかりでなく、カバー４２の上板部４３に面する指当部２５ｂ，２７ｂにも当てがうことができる。従って、ハンドル１を持った手指がより一層安定してカバー４２の移動操作を行い易くするとともに執刀時等の使い勝手を良くすることができる。
【００３８】
（５）  ハンドル１の各摘み部２５，２６，２７，２８，２９とカバー４２の各貫通孔５０，５１，５４とは、ハンドル１に対しカバー４２を前後方向Ｘへ案内する案内部として兼用されているので、カバー４２の案内機能として兼用することができるばかりでなく、ハンドル１及びカバー４２の構造を簡単にすることができる。
【００３９】
前記実施形態以外にも例えば下記のように構成してもよい。
・  前記実施形態において、左側の貫通孔５０から突出する左側の摘み部２５，２６と、右側の貫通孔５１から突出する右側の摘み部２７，２９とは、それぞれ、上下一対設けられているが、一または三以上設けてもよい。
【００４０】
・  前記実施形態において、左右両側の摘み部２５，２６，２７，２９と左右両側の貫通孔５０，５１とは、それぞれ、前後方向Ｘへ一連に延設されているが、前後方向Ｘへ複数に分断して延設してもよい。
【００４１】
・  前記実施形態において下側の摘み部２８と下側の貫通孔５４を省略してもよい。
・  前記実施形態のカバー４２において上板部４３の切込部５６を省略してもよい。
・  前記実施形態においては、ハンドル１のクリック凹部３２，３３を前後両側に設けているが、前後両側のうち一方にのみ設けてもよい。
【００４２】
・  前記実施形態においては、カバー操作部４３ａをカバー４２の上板部４３に設けているが、それ以外に例えば、左側板部４５と右側板部４６と下板部４４とのうちいずれかに設けてもよい。
【００４３】
・  前記実施形態においては、二股状に設けた左腕２と右腕３とを互いに重ねて左側板部１１と右側板部１２とにより一本のハンドル１としているが、一枚のハンドルを成形してその前端部に刃体を取り付けてもよい。
【００４４】
・  前記実施形態において、ハンドル１の材質としては、例えば、ポリプロピレン樹脂やポリブチレンテレフタレート樹脂やＡＢＳ樹脂などを採用することができる。また、カバー４２の材質としては、ポリプロピレン樹脂やポリカーボネート樹脂やメタクリル樹脂やＡＢＳ樹脂などを採用することができる。
【００４５】
・  カバー４２については、透明樹脂や半透明の透過性樹脂で成形することが好ましいが、不透明樹脂で成形してもよい。
・  前記実施形態においては、ハンドル１に対し刃体１７を着脱不能に取り付けているが、着脱可能にまたは交換可能に取り付けてもよい。
【００４６】
・  前記実施形態において、ロック操作部３６を省略してもよい。
・  前記実施形態において、ハンドル１及びカバー４２の材質としては、プラスチック以外に、例えばステンレス鋼やチタンなどの金属を採用することができる。
【符号の説明】
【００４７】
１…ハンドル、１７…刃体、１８…刃体の刃縁、１９…刃体の背縁、２５，２６，２７，２８，２９…ハンドルの摘み部、２５ｂ，２７ｂ…指当部、４２…カバー、４３…カバーの上板部（上部）、４３ａ…カバー操作部、４４…カバーの下板部（下部）、４５，４６…カバーの側板部（側部）、５０，５１，５４…カバーの貫通孔、Ｐ…刃体不使用位置、Ｑ…刃体使用可能位置、Ｘ…長手方向に沿う前後方向、Ｙ…左右方向、Ｚ…上下方向。
【図１】
2018143321.tif 000003
【図２】
2018143321.tif 000004
【図３】
2018143321.tif 000005
【図４】
2018143321.tif 000006
【図５】
2018143321.tif 000007
【図６】
2018143321.tif 000008
【図７】
2018143321.tif 000009
【図８】
2018143321.tif 000010
【図９】
2018143321.tif 000011